(57)【要約】【課題】より簡易に電波環境を調査する。【解決手段】電波環境測定装置１が、所定の周波数帯における電波の受信強度の時間的変化を測定する測定部１２と、受信強度の時間的変化に基づいて、所定の周波数において定期的に検出される継続信号を検出する検出部１３を有する。これにより、作業者がスペクトルアナライザの測定結果を分析することなく、定期的に電波信号を出力する信号源を洗い出すことができる。また、電波環境測定装置１が、無線通信方式において使用される電波の周波数範囲に関する情報を保持する記憶部１６と、記憶部１６を参照して継続信号を出力する信号源の無線通信方式を特定する特定部１４を有することで、信号源の種別を特定できる。【選択図】図２
2019213147.tif 000002
【特許請求の範囲】
【請求項１】
所定の周波数帯における電波の受信強度の時間的変化を測定する測定部と、
前記受信強度の時間的変化に基づいて、所定の周波数において定期的に検出される継続信号を検出する検出部と、
を有することを特徴とする電波環境測定装置。
【請求項２】
所定の無線通信方式において使用される電波の周波数範囲に関する情報を記憶する記憶部と、
前記記憶部を参照し、前記継続信号を出力する信号源の無線通信方式を特定する特定部と、
を有することを特徴とする請求項１に記載の電波環境測定装置。
【請求項３】
複数の継続信号が検出された場合、前記複数の継続信号の周波数の近さに基づいて電波環境を評価する評価部を有することを特徴とする請求項１又は２に記載の電波環境測定装置。
【発明の詳細な説明】
【技術分野】
【０００１】
本発明は、コードレス電話システムで用いる帯域の電波の環境を測定する技術に関する。
【背景技術】
【０００２】
工場およびオフィスなどの様々な環境で構内ＰＨＳ（Ｐｅｒｓｏｎａｌ  Ｈａｎｄｙｐｈｏｎｅ  Ｓｙｓｔｅｍ）システムが利用されている。近年では、ＤＥＣＴ（Ｄｉｇｉｔａｌ  Ｅｎｈａｎｃｅｄ  Ｃｏｒｄｌｅｓｓ  Ｔｅｌｅｃｏｍｕｎｉｃａｔｉｏｎｓ）方式のコードレス電話システムが普及している。
【０００３】
ＤＥＣＴ方式およびＰＨＳ方式はいずれも１．９ＧＨｚ帯を使用する無線通信方式である。図１に、ＤＥＣＴ方式およびＰＨＳ方式のそれぞれで使用する周波数帯域を示す。日本におけるＤＥＣＴ方式の周波数帯域は、１８９３．５Ｍｈｚから１９０６．１Ｍｈｚの間であり、帯域幅１．７２８ＭＨｚの５通信用チャネルが使用される。ＰＨＳ方式の周波数帯域は、ＤＥＣＴ方式と同一の１８９３．５Ｍｈｚから１９０６．１Ｍｈｚの間であり、帯域幅３００ｋＨｚの４０通信用チャネルと２制御用チャネルが使用される。同一周波数、同一時間にＤＥＣＴ方式のコードレス無線システムとＰＨＳ方式のコードレス無線システムのそれぞれから電波信号が送信されると、ＤＥＣＴ方式の電波信号とＰＨＳ方式の電波信号とが干渉し、通話途切れなどの故障の原因となる。
【０００４】
ＤＥＣＴ方式およびＰＨＳ方式は、どちらもＴＤＭＡ／ＴＤＤ（Ｔｉｍｅ  Ｄｉｖｉｓｉｏｎ  Ｍｕｌｔｉｐｌｅ  Ａｃｃｅｓｓ：時分割多重／Ｔｉｍｅ  Ｄｉｖｉｓｉｏｎ  Ｄｕｐｌｅｘ：時分割複信）方式であり、それぞれ一定の長さの時間スロットにおいて、基地局と各端末が順次通信を行う。ＤＥＣＴ方式の１フレームは１０ｍｓであり、１フレームは１２個または２４個の時間スロットからなる。ＰＨＳ方式の１フレームは５ｍｓであり、１フレームは８個の時間スロットからなる。ＤＥＣＴ方式とＰＨＳ方式のいずれにおいても、１フレーム中の時間スロットの半分が上り通信に使用され、半分が下り通信に使用される。
【０００５】
最近は、１．９ＧＨｚ帯を使用する新たな無線通信方式の導入も検討されており（非特許文献１）、コードレス電話システムを導入する際の電波の干渉の問題はよりクローズアップされると思われる。
【先行技術文献】
【非特許文献】
【０００６】
【非特許文献１】“デジタルコードレス電話の無線局の高度化に係る技術的条件”、［online］、平成29年3月31日、総務省、［平成30年5月15日検索］、インターネット〈URL：http://www.soumu.go.jp/menu_news/s-news/01kiban14_02000291.html 〉
【発明の概要】
【発明が解決しようとする課題】
【０００７】
新たにコードレス電話システムを導入する場合、導入先に既に存在する信号源を把握することが重要である。電波環境を調査する場合、スペクトルアナライザ等の測定器を使用して環境中の電波強度を測定し、測定結果を分析する。スペクトルアナライザの測定結果の分析には高度なスキルを要するという問題があった。
【０００８】
また、電波を出力する信号源がどの無線通信方式によるものであるのかを知りたいという要望もある。
【０００９】
本発明は、上記に鑑みてなされたものであり、より簡易に電波環境を調査することを目的とする。
【課題を解決するための手段】
【００１０】
本発明に係る電波環境測定装置は、所定の周波数帯における電波の受信強度の時間的変化を測定する測定部と、前記受信強度の時間的変化に基づいて、所定の周波数において定期的に検出される継続信号を検出する検出部と、を有することを特徴とする。
【００１１】
上記電波環境測定装置において、所定の無線通信方式において使用される電波の周波数範囲に関する情報を記憶する記憶部と、前記記憶部を参照し、前記継続信号を出力する信号源の無線通信方式を特定する特定部と、を有することを特徴とする。
【００１２】
上記電波環境測定装置において、複数の継続信号が検出された場合、前記複数の継続信号の周波数の近さに基づいて電波環境の劣悪度を判定する判定部を有することを特徴とする。
【発明の効果】
【００１３】
本発明によれば、より簡易に電波環境を調査することができる。
【図面の簡単な説明】
【００１４】
【図１】ＤＥＣＴ方式およびＰＨＳ方式のそれぞれで使用する周波数帯域を示す図である。
【図２】本実施形態の電波環境測定装置の構成を示す機能ブロック図である。
【図３】スペクトル測定で得られた測定結果の一例を表示した図である。
【図４】時間−スペクトル測定で得られた測定結果の一例を表示した図である。
【図５】本実施形態の電波環境測定装置の表示例を示す図である。
【図６】本実施形態の電波環境測定装置の処理の流れを示すフローチャートである。
【発明を実施するための形態】
【００１５】
以下、本発明の実施の形態について図面を用いて説明する。
【００１６】
図２は、本実施形態の電波環境測定装置１の構成を示す機能ブロック図である。本実施形態の電波環境測定装置１は、ＤＥＣＴ方式あるいはＰＨＳ方式のコードレス電話システムの導入に際して、コードレス電話システムを導入する構内の電波環境を測定する装置である。
【００１７】
電波環境測定装置１は、アンテナ１１、測定部１２、検出部１３、特定部１４、表示部１５、及び記憶部１６を備える。
【００１８】
測定部１２は、アンテナ１１で電波を受信し、ＤＥＣＴ方式およびＰＨＳ方式で用いられる１．９ＧＨｚ帯の電波の強度を測定する。具体的には、測定部１２は、所定の時間（例えば、５秒間、１分間、連続）における各周波数でのピークの受信強度を測定するスペクトル測定、あるいは所定の時間における各周波数の受信強度の時間的変化を測定する時間−スペクトル測定を行う。測定結果は、電波環境測定装置１の備える記憶装置に記録される。例えば、スペクトル測定では、周波数ごとの受信強度が記録される。時間−スペクトル測定では、周波数ごとの受信強度が時間ごとに記録される。
【００１９】
電波の受信強度のスペクトル測定は、例えば、測定を開始する周波数と測定を終了する周波数を指定し、所定の周波数間隔で測定する中心周波数を変化させる。あるいは、受信信号をＡ／Ｄ変換でデジタル信号に変換し、デジタル信号処理によってＦＦＴ（高速フーリエ変換）演算を行い、受信信号を周波数領域に変換してもよい。
【００２０】
図３は、スペクトル測定で得られた測定結果の一例を表示した図である。同図では、横軸に周波数を取り、縦軸に受信強度を取った。
【００２１】
図４は、時間−スペクトル測定で得られた測定結果の一例を表示した図である。同図では、横軸に周波数を取り、縦軸に時間を取った。受信強度は色で表現する。例えば、受信強度の小さい順に、青、緑、黄、橙、赤の順とする。所定の閾値以上の受信強度のみをプロットしてもよい。
【００２２】
検出部１３は、各周波数の受信強度の時間的変化を測定した測定結果から、所定の周波数において定期的に出現する継続信号を検出する。つまり、検出部１３は、ある周波数において定期的に出現する信号は、同一のコードレス電話システムで使用される信号であると推定する。複数のコードレス電話システムが存在する場合は、複数の継続信号が検出される。例えば、図４の例では、信号１００Ａ〜１００Ｆは、同じ周波数で定期的に検出されているので、同じコードレス電話システムで使用されている信号であると推定する。信号１００Ａ，１００Ｃ，１００Ｅは下り信号であり、信号１００Ｂ，１００Ｄ，１００Ｆは上り信号である。また、信号２００Ａ，２００Ｂも、同じ周波数で定期的に検出されているので、同じコードレス電話システムで使用されている信号であると推定する。図４の例では、検出部１３は、２つのコードレス電話システムで使用されている継続信号を検出する。
【００２３】
検出部１３は、検出した継続信号の使用周波数と出現タイミングを特定する。
【００２４】
検出部１３は、図４に示したような、横軸に周波数を取り、縦軸に時間を取った平面上に時間−スペクトル測定の測定結果をプロットした画像を解析することで、同じコードレス電話システムからの継続信号を検出してもよい。例えば、検出部１３は、図４に示す測定結果の画像において、所定の閾値以上の受信強度を持つ領域（例えば緑以上の色を持つ領域）を検出し、同じ幅で縦方向（時間方向）に並ぶ複数の領域を同じコードレス電話システムからの継続信号として検出する。
【００２５】
特定部１４は、記憶部１６の保持する無線通信方式の種別に関する情報を参照し、検出部１３の検出した継続信号の種別を特定する。本実施形態では、特定部１４は、検出した継続信号を用いる無線通信方式（例えばＤＥＣＴ方式あるいはＰＨＳ方式）を特定する。ＤＥＣＴ方式およびＰＨＳ方式のいずれも、図１に示したように、使用する周波数および周波数幅が規定されている。記憶部１６にＤＥＣＴ方式およびＰＨＳ方式で使用される周波数に関する情報を保持しておく。特定部１４は、記憶部１６の保持するＤＥＣＴ方式およびＰＨＳ方式の各チャネルの周波数と帯域幅等を参照し、検出した継続信号の周波数と帯域幅が、ＤＥＣＴ方式またはＰＨＳ方式のいずれかのチャネルの周波数と帯域幅と同じであれは、継続信号はそのチャネルを用いる無線通信方式の信号であると特定する。特定部１４は、継続信号の出現タイミングあるいは信号の継続時間に基づいて種別を特定してもよい。
【００２６】
表示部１５は、特定部１４の特定した継続信号の種別を表示する。図５に、表示部１５の表示例を示す。図５の例では、継続信号の無線通信方式を表す文字列に数字を付与したものを表示している。図５の例は、ＰＨＳ方式の継続信号を２つ、ＤＥＣＴ方式の継続信号を１つ検出したことを示している。表示部１５は、検出した継続信号の受信強度を表示してもよいし、図３，４のように、測定部１２の測定結果を表示してもよい。
【００２７】
複数の継続信号が検出された場合、複数の継続信号の周波数の近さに基づいて電波環境を評価する評価部を備え、表示部１５は評価結果を表示してもよい。例えば、複数の継続信号が同一周波数で検出された場合、あるいは複数の継続信号の周波数が所定の値よりも近い場合は、電波が干渉している、電波が干渉する可能性がある、または電波環境が悪いと表示する。
【００２８】
記憶部１６は、無線通信方式の種別ごとに使用される電波の周波数範囲に関する情報を保持する。例えば、ＤＥＣＴ方式およびＰＨＳ方式の各チャネルの周波数と帯域幅の情報を保持する。
【００２９】
次に、本実施形態の電波環境測定装置１の動作について説明する。
【００３０】
図６は、本実施形態の電波環境測定装置１の処理の流れを示すフローチャートである。
【００３１】
作業者は電波環境を調査したい地点において電波環境測定装置１を操作し、電波環境の測定を開始する（ステップＳ１）。測定部１２は、所定の周波数帯における電波の強度を測定する。本実施形態では、測定部１２は、ＤＥＣＴ方式およびＰＨＳ方式で用いられる１．９ＧＨｚ帯の各周波数の受信強度の時間的変化を測定する。
【００３２】
電波環境測定装置１は、各周波数の電波の受信強度の時間的変化を測定すると、測定結果から定期的に出現する継続信号を検出する（ステップＳ２）。
【００３３】
電波環境測定装置１は、検出した全ての継続信号の種別を特定する（ステップＳ３，Ｓ４）。
【００３４】
電波環境測定装置１は、ステップＳ３で特定した継続信号の種別を表示する（ステップＳ５）。
【００３５】
以上の処理により、作業者は電波環境を調査したい地点において、電波環境測定装置１を用いて電波環境の測定を開始するだけで、その地点で検出される信号源を洗い出すことができる。
【００３６】
以上説明したように、本実施の形態によれば、電波環境測定装置１が、所定の周波数帯における電波の受信強度の時間的変化を測定する測定部１２と、受信強度の時間的変化に基づいて、所定の周波数において定期的に検出される継続信号を検出する検出部１３を有することにより、作業者がスペクトルアナライザの測定結果を分析することなく、定期的に電波信号を出力する信号源を洗い出すことができる。
【００３７】
本実施の形態によれば、電波環境測定装置１が、無線通信方式において使用される電波の周波数範囲に関する情報を保持する記憶部１６と、記憶部１６を参照して継続信号を出力する信号源の無線通信方式を特定する特定部１４を有することにより、定期的に電波信号を出力する信号源の種別を特定できる。
【符号の説明】
【００３８】
１…電波環境測定装置
１１…アンテナ
１２…測定部
１３…検出部
１４…特定部
１５…表示部
１６…記憶部
【図１】
2019213147.tif 000003
【図２】
2019213147.tif 000004
【図３】
2019213147.tif 000005
【図４】
2019213147.tif 000006
【図５】
2019213147.tif 000007
【図６】
2019213147.tif 000008